【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
受電パッチ・パネルであって、
制御パラメータを格納するメモリと、
複数のポートであって、各々がネットワーク通信接続をサポートするように構成された、ポートと、
プロセッサであって、前記複数のポートのうちの少なくとも１つを、前記制御パラメータに基づいて、前記ネットワーク通信接続を通じて受電デバイスに選択的に電力を供給するように構成するプロセッサと、
を備えた、受電パッチ・パネル。
【請求項２】
請求項１記載の受電パッチ・パネルにおいて、前記制御パラメータは、電流制限しきい値を含み、前記プロセッサは、前記電流制限しきい値に基づいて前記複数のポートのうちの少なくとも１つに対して電流制限を設定するように構成された、受電パッチ・パネル。
【請求項３】
請求項１記載の受電パッチ・パネルであって、更に、
別個に給電される第１パワー・プレーンおよび第２パワー・プレーンと、
共通回路と、
ポート回路であって、前記第１パワー・プレーンが前記共通回路に電力を供給するように構成され、前記第２パワー・プレーンが前記ポート回路に電力を供給するように構成された、ポート回路と、
前記第２パワー・プレーンから電力を受けるレジスタであって、前記共通回路が電源アイソレータを介して前記ポート回路と通信する、レジスタと、
を備えた、受電パッチ・パネル。
【請求項４】
請求項１記載の受電パッチ・パネルであって、更に、第１電力入力ポートと第２電力入力ポートとを備えており、前記第１電力入力ポートからの電力を、前記第２電力入力ポートからの電力と組み合わせて単一の電源とする、受電パッチ・パネル。
【請求項５】
請求項４記載の受電パッチ・パネルにおいて、
前記第１電力入力ポートは正端子および負端子を備えており、
前記第２電力入力ポートは正端子および負端子を備えており、
第１ダイオードが前記第１電力入力ポートの正または負端子のいずれかに接続し、第２ダイオードがそれに対応する前記第２電力入力ポートの端子に接続し、
前記第１および第２ダイオードは第１ノードに接続し、前記第１および第２電力入力ポートの正または負端子の内、前記第１および第２ダイオードの一方に接続されていない端子は第２ノードに接続されており、
インライン電流管理部が、接続された受電デバイスに電力を供給するために、前記第１および第２ノードに接続する、
受電パッチ・パネル。
【請求項６】
請求項５記載の受電パッチ・パネルであって、更に、前記第１および第２電力入力ポートおよび前記第１および第２ノードの電圧を監視するように構成されたアナログ／ディジタル変換器を備えており、前記プロセッサは、前記アナログ／ディジタル変換器が監視する前記電圧に基づいて、前記第１および第２電力入力ポートに供給される電力のステータスを判定するように構成された、受電パッチ・パネル。
【請求項７】
請求項５記載の受電パッチ・パネルにおいて、前記インライン電流管理部は、独立したヒューズを介して、前記受電パッチ・パネルの異なる部分を担当する独立したパワー・プ
レーンに接続されており、前記インライン電流管理部は、前記接続される受電デバイスに前記ヒューズの１つを介して接続された、受電パッチ・パネル。
【請求項８】
請求項１記載の受電パッチ・パネルであって、更に、
レガシー検出サポート回路と、
第１位置および第２位置を有するスイッチと、
を備えており、前記レガシー検出サポート回路は、
第１電流および第２電流に基づいて、前記ポートに接続された前記受電デバイスの特性を判定し、
第１検査電圧が前記スイッチに印加されているとき前記第１位置にある前記スイッチを介して前記第１電流を測定し、第２検査電圧が前記スイッチに印加されているとき前記第２位置にある前記スイッチを介して前記第２電流を測定する、
ように構成された、受電パッチ・パネル。
【請求項９】
請求項１記載の受電パッチ・パネルであって、更に、前記ポートと関連する複数のＬＥＤを備えており、前記ＬＥＤの少なくとも１つは、前記ポートのステータスまたは格納された制御パラメータの値のうちの少なくとも１つを示す、受電パッチ・パネル。
【請求項１０】
請求項１記載の受電パッチ・パネルであって、更に、別個で絶縁されたパワー・プレーンから電力を受けるように構成された共通回路とポート回路とを備えており、前記ポート回路は、電流管理部と、パワー・オーバー・イーサーネット（ＰｏＥ）管理部と、ＬＥＤ管理部とを備えており、前記電流管理部、前記ＰｏＥ管理部、および前記ＬＥＤ管理部の各々は、状態マシンとレジスタとを備えており、前記状態マシンおよびレジスタは光アイソレータまたは容量性アイソレータの少なくとも１つを介して前記プロセッサと通信する、受電パッチ・パネル。
【請求項１１】
受電パッチ・パネルに接続された１つ以上の受電デバイスに電力を供給する方法であって、
１つ以上の制御パラメータを前記受電パッチ・パネルに格納し、
前記１つ以上の制御パラメータに基づいてネットワーク通信接続を通じて受電デバイスに選択的に電力を供給するように、前記受電パッチ・パネルの複数のポートのうちの少なくとも１つを構成する、方法。
【請求項１２】
請求項１１記載の方法であって、さらに、
前記１つ以上の制御パラメータのうちの少なくとも１つとして電流制限しきい値を格納し、
前記電流制限しきい値に基づいて前記複数のポートのうちの少なくとも１つに対して１つ以上の電流制限を設定する、方法。
【請求項１３】
請求項１１記載の方法であって、更に、
共通回路およびポート回路に電力を別個に供給し、
前記共通回路と前記ポート回路との間の通信を、電源アイソレータを介して行われるように制限し、
レジスタを用いて前記ポート回路を制御する、方法。
【請求項１４】
請求項１１記載の方法であって、更に、
第１電源および第２電源から電力を受け、
前記複数のポートのうちの少なくとも１つを介して受電デバイスに電力を供給するため、前記第１および第２の電源からの電力を、単一の電源に組み合わせる、方法。
【請求項１５】
請求項１４記載の方法であって、更に、
前記第１電源の第１端子を第１ダイオードに接続し、
前記第２電源の第１端子を第２ダイオードに接続し、
前記第１および第２のダイオードを第１ノードに接続し、
前記第１電源の第２端子と前記第２電源の第２端子とを第２ノードに接続し、
前記複数のポートのうちの少なくとも１つを介して電力を受電デバイスに供給するため、インライン電流管理部を前記第１および第２のノードに接続する、方法。
【請求項１６】
請求項１５記載の方法であって、更に、
前記第１および第２の電源並びに前記第１および第２のノードのアナログ電圧をディジタル値に変換し、
前記ディジタル値に基づいて前記第１および第２の電源のステータスを識別する、方法。
【請求項１７】
請求項１１記載の方法であって、更に、
第１検査電圧をポートに印加し、第１電流を測定し、
第２検査電圧を前記ポートに印加し、第２電流を測定し、
前記第１および第２の電流に基づいて、前記ポートに接続された受電デバイスの特性を判定する、方法。
【請求項１８】
受電パッチ・パネルであって、
複数のポートであって、各々がネットワーク通信接続をサポートするように構成されたポートと、
制御パラメータを格納し、該制御パラメータに基づいて前記受電パッチ・パネルを制御する共通回路と、
前記制御パラメータの１つ以上に基づいて、ネットワーク通信接続を通じて前記ポートのうちの１つに接続された受電デバイスに電力を供給するポート回路と、
前記共通回路に電力を供給する共通回路パワー・プレーンと、
前記ポート回路に電力を供給するポート回路パワー・プレーンと、
電源から電力を受け取るダイオード回路と、
前記ダイオード回路から電力を受け、前記共通回路パワー・プレーンおよび前記ポート回路パワー・プレーンに電力を供給するインライン電流管理部と、
前記ダイオート回路から受ける電力および前記インライン電流管理部によって出力される電力を監視するアナログ／ディジタル変換器と、
前記アナログ／ディジタル変換器から、前記ダイオード回路が前記第１電源から受けた電圧、前記ダイオード回路が前記第２電源から受けた電圧、前記インライン電流管理部から出力される電力、または前記インライン電流管理部から出力される電流のうちの少なくとも１つのディジタル表現を受け取り、該ディジタル表現を前記共通回路に中継する第１光カプラと、
前記制御パラメータを前記共通回路から前記ポート回路に中継する第２光カプラと、
を備えた、受電パッチ・パネル。
【請求項１９】
請求項１８記載の受電パッチ・パネルにおいて、前記ポート回路は、更に、
レジスタに設定されており前記共通回路から受け取る値に基づいて、前記ネットワーク通信接続を通じて前記受電デバイスへの電流の流れを制限する電流管理部と、
ポートに接続された受電デバイスの存在および特性を検出するために、前記ポートを監視するＰｏＥ管理部と、
レジスタ内にあり前記共通回路から受け取る値に基づいて、ポートＬＥＤを点灯するために、ＬＥＤ駆動回路を制御するＬＥＤ管理部と、
ポートに接続された受電デバイスが第１のタイプのＰｏＥデバイスかまたは第２のタイプのＰｏＥデバイスかを判定するレガシー・サポート管理部と、
を備えた、受電パッチ・パネル。
【請求項２０】
請求項１８記載の受電パッチ・パネルにおいて、前記共通回路は、更に、
前記制御パラメータを格納するメモリと、
前記共通回路とイーサネット（登録商標）・ネットワーク管理ポートとの間の通信をサポートするイーサネット（登録商標）・スイッチと、
前記イーサネット（登録商標）・ネットワーク管理ポートを介して前記制御パラメータを受け取り、前記メモリに前記制御パラメータを格納するように命令するプロセッサと、
を備えた、受電パッチ・パネル。
【請求項２１】
請求項２０記載の受電パッチ・パネルにおいて、前記共通回路内にある前記イーサネット（登録商標）・スイッチは、多数の受電パッチ・パネルを単一のイーサネット（登録商標）・ネットワーク接続上に接続するためのデイジー・チェーンの形成をサポートする２つのイーサネット（登録商標）・ネットワーク管理ポートをサポートする、受電パッチ・パネル。
【請求項２２】
請求項１８記載の受電パッチ・パネルであって、更に、前記レガシー・サポート管理部から前記共通回路内のプロセッサに情報を中継する容量性カプラを備えており、前記情報は前記ポートに接続された前記受電デバイスに関する、受電パッチ・パネル。
【請求項２３】
請求項１８記載の受電パッチ・パネルであって、更に、
前記インライン電流管理部を前記ポート回路パワー・プレーンに接続する第１ヒューズと、
前記インライン電流管理部を前記共通回路パワー・プレーンに接続する第２ヒューズと、
を備えた、受電パッチ・パネル。